(57)【要約】【課題】本発明は電動工具収納ケースに関するものであり、ビットや工具本体が運搬中に動いて音をだしたり、傷つけたりせず、安価なケースを提供するものである。ガイドリブで挿入を用意にしたビットホルダを設け、また、デンチキャップ収納を兼ねた工具本体押さえを設けたことを特徴とするケースに関するものである。【解決手段】電動工具収納ケースに、先端工具の六角軸を押さえるビットホルダを一体で設け、このビットホルダにガイドリブを設け挿入しやすくし、また、工具本体押さえ用の係合部をケースに設け、ここに平面を有するキャップを取り付け、これで本体を押さえる構造とし、また、このキャップを電池の端子部保護キャップとかねたこと【選択図】図１
2004174655.tif 000002
【特許請求の範囲】
【請求項１】
本体収納部、予備電池収納部、充電器収納部などからなる収納側ケースと、これに兆番で回動自在に取り付けた蓋側ケースを有する、電動工具の収納ケースにおいて、前記蓋側ないし収納側のケースに、六角断面のドライバ用ビットを挟み込み収納する、ビット収納部を、ケースに一体で成形したことを特徴とする電動工具収納ケース。
【請求項２】
六角断面を挟み込む二平面と抜け止め用に六角の対辺の幅より幅狭の設けた凸部からなる保持リブと、ビット対辺幅と同じ幅の溝を有し、また、前記幅狭な凸部がなく、また高さが保持リブよりも高いガイドリブの、二つを有することを特徴としたビット収納部を有する前記請求項１記載の電動工具収納ケース。
【請求項３】
本体収納部、予備電池収納部、充電器収納部などからなる収納側ケースと、これに兆番で回動自在に取り付けた蓋側ケースを有する、電動工具の収納ケースにおいて、キャップ状の部材、および蓋側のケースにキャップ状の部材とハメ合う係合部を設け、前記係合部にキャップをはめこみ、収納側に納めた工具本体にキャップの面部が密着ないし、わずかなスキマをもって収納されることを特徴とした電動工具収納ケース。
【請求項４】
前記キャップ状の部材が、蓄電池のバッテリ端子を絶縁するカバーの機能を備えた形状であることを特徴とする前記請求項３記載の電動工具収納ケース。
【発明の詳細な説明】
【０００１】
【発明の属する技術分野】
本発明は、インパクトドライバなどのバッテリ工具や、スクリュードライバなどのコード付の電動工具の、収納ケースに関するものである。
以下、バッテリ式のコードレスインパクトドライバを例に説明する。
【０００２】
【従来の技術】
従来のインパクトドライバの収納ケース構造は、本体収納部、予備電池収納部、充電器収納部などからなる収納側ケースと蓋となる蓋側ケースで構成され、それぞれ射出成形で成形されたプラスチック製であり、兆番は、金属のピンをそれぞれのケースに設けた穴に挿入し、開閉自在になっている。
このケースに収納される工具は、たとえばインパクトドライバでは、図７のような６角軸を有するビットや錐を種々用いるため、ケースの空いたスペースに入れた場合に、運搬中などケースの中でビットなどが踊ったり動き回って、本体を傷付けたりする可能性があった。
【０００３】
また、工具本体をケースに収納した場合に、工具本体と蓋側ケースの間にスキマが発生するが、この場合も、運搬中などケースの中で工具本体が踊ったり動き回って、音がうるさい場合があった。
また、これを防ぐため蓋側ケースに薄い板状のリブを追加し、これで押さえることも可能であったが、近年、工具本体の外枠にゴム状の軟質の部材を貼ったり、複合成形したりした場合に、前記した薄いリブでこの軟質部材を傷付ける可能性があった。
【０００４】
【発明が解決しようとする課題】
ここで本発明が解決しようとする課題は、収納物であるビットなどの先端工具が、ケースの中で踊りまわり、音がしたり、工具本体を傷付けないようにすることである。また、本体も同様にケースの中で踊りまわり、音がしたり、工具本体を傷付けないようにする安価な手段である。
【０００５】
【課題を解決するための手段】
上記目的は、ケース内部に、ビットの六角軸部を確実に簡単に押さえて収納できる専用収納部（以下ビットホルダと呼ぶ）を作り、ガタなく納めることで達成できる。
また、本体もリブでなく平面部を有する別部材で押さえることで達成できる。
また、この別部材を電池の端子部を保持するデンチキャップを兼ねることで安価にできる。
【０００６】
【発明の実施の形態】
本発明を電池で動くコードレスのインパクトドライバに適用した一実施例を図１〜図４を使用して説明する。
図１において、収納側ケース１には、工具本体３や予備の蓄電池４をそれそれ収納する部屋がリブで形成されている。工具本体３は外枠３ａにエラストマ３ｂという軟質のゴム状のものが一体で成形されている。また、蓄電池４は端子部を保護するキャップ１１が被せられている。
このケースは、射出成形で形成されているため、肉厚は３ｍｍ〜３．５ｍｍの均一な厚みであり。ブロー成形のような中空部は無い。
【０００７】
一方蓋側ケース２も同様に射出成形で成形された肉厚３ｍｍ〜３．５ｍｍの均一な成形体である。この角部にはビットなどの先端工具を収納するビットホルダが、樹脂で一体に成形されている。このビットホルダは図３のような間隔が６．３５ｍｍの平行な二平面７ａとその端部に幅が約５ｍｍに幅狭に形成された凸部７ｂから構成される保持リブ７が前後に二組あり、またその二組の保持リブ７の間に幅が６．３５のギャップを有し、前記５ｍｍ幅の幅狭部はない、ガイドリブ８が設けてある。図３のように、保持リブ７の高さに対してガイドリブ８は高くなっている。
【０００８】
本実施例のビットホルダは、上記二つの保持リブ７とひとつのガイドリブ８のセットでビットが一本収納可能になるが、これが図３のように３セット用意されており、都合３本収納可能である。
次に、蓋側ケースには樹脂のリブで形成された係合部１０がある。これは、縦横のリブで形成され、また、電池キャップが軽く手で圧入固定できる幅寸法になっている。一方、電池キャップ１１は電池の端子部を保護するキャップであり、厚みが１ｍｍで底に平面部１１Ａを有するカップ形である。この電池キャップ１１は前記係合部１０に矢印方向に挿入固定される。
以上の収納側ケース１と蓋側ケース２は図６のように、ピン２２で結合され、ハンドル２０やラッチ２１も取り付けて、工具収納ケースとなる。
次に、本発明の収納ケースの動作を説明する。
【０００９】
図７に示すように、インパクトドライバに使用する先端工具は共通の寸法を有する対辺６．３５ｍｍの六角軸１５ａを有する各種ビットやキリがある。
たとえば両頭ビット１５を例に説明すると、図３に示すようにビット１５を前記保持リブ７に取り付ける場合、まず、はじめに、ガイドリブ８のほうが高さが高いため、ガイドリブ８の６．３５ｍｍ幅に挿入され、ビット１５の二面幅６．３５ｍｍと同一寸法のため、方向が規制され、六角の頂点部から保持リブ７に入り込み、幅５ｍｍと幅狭に作られた凸部７ｂを軽い圧入力で通過し、その下の二平面７ａは６．３５ｍｍなのでしっくり、位置が決まる。
【００１０】
もし、このガイドリブ８による方向の規制が無い場合、六角軸１５ａは、保持リブ７に対して、六角の頂点が横向きの状態から挿入されやすく、（図３の六角軸断面が図示の方向から６０度回転した状態）その場合、前記凸部７ｂが幅５ｍｍに対して、頂点の対角距離は７ｍｍあるため、圧入がきつくなり、また、保持リブ７の変形も大きくなるため、破損などの不具合が出る。
ビット１５は図７のように各種あるが上記ビットホルダは同じ物を複数用意すれば、収納可能で、動かなくなる。
運搬中に動き回り、本体を傷付けたり、音がガチャガチャしたりすること無く、また、箱の中で探すのも楽にすることができる。
よって、ガイドリブ８の溝をＬとし、保持リブ７の凸部７ｂ間の距離をＬ１とし、先端工具の六角軸部の二面間の距離をＬ２とし、先端工具の六角軸部の頂点と頂点との距離をＬ３とすると、各寸法は下記関係となるようになっている。
Ｌ３＞Ｌ≧Ｌ２＞Ｌ１
次に、蓋側ケースに設けた係合部の動作について説明する。
係合部１０に樹脂製の電池キャップ１１を軽く圧入し固定すると、工具本体３と収納側ケース１、蓋側ケース２、係合部１０、電池キャップ１１は図４のような位置関係になる。この状態で、工具本体３の前記軟質のエラストマ３ｂは、電池キャップ１１の平面部１１ａとわずか数ｍｍの距離関係に有る。これにより、運搬中に中の工具が動こうとしても、押さえられて動かず、音がしたり、傷ついたりする心配が無い。また、電池キャップの平面部１１ａで当るため、軟質の樹脂に当る面積が増え、傷が付きにくい。
【００１１】
また、この電池キャップ１１は工具本体３に着脱自在に取り付けられたカセット式電池３ｃ用のキャップであり、工具本体使用中は、外してあるものである。この外された電池キャップ１１も収納に困るが、この係合部１０に挿入することで、紛失の心配がない。また、本体の収納の押さえもかねているので、コストアップにならず、便利である。
なお、予備の電池４には別の電池キャップ１１がはまって収納されており、こちらは、電池の端子部３ｃに固定されているので動かない。
また、本考案のビットホルダや係合部はケースの成形時、一体で成形することで、別部品を用意する必要が無く、コスト的に安価にできる。
しかし、別部品で成形し、組み立てても、コストを除けば、効果は同様である。
【００１２】
【発明の効果】
本発明によれば、ケースにビットホルダをつけたので、運搬中にビットが動き回ったりして音や傷つきが防止できる。また、方向を規制するガイドリブを設けたので、挿入時の方向が規制でき、常に六角の頂点から保持リブに入るので、入れやすく、破損も無い。
一方、電池キャップの余っているほうを蓋側の係合部に固定し、工具本体を押さえる構造にしたので、運搬中の工具が動いて音がしたり、傷つくことが無い。また、電池のキャップとかねたので、キャップの紛失などもなくなり、コストも上げないでできる。
【図面の簡単な説明】
【図１】本発明による工具収納ケースの斜視図である。
【図２】本発明のビットホルダの斜視図である。
【図３】本発明のビットホルダの正面図である。
【図４】本発明の係合部とデンチキャップを含む工具収納状態を示す断面図である。
【図５】電池キャップで端子を保護した状態の電池の斜視図である。
【図６】工具収納ケースの外観を示す斜視図である。
【図７】六角軸を有するビットやキリの例である。
【符号の説明】
１は収納側ケース、２は蓋側ケース、３は工具本体、３ａは外枠、３ｂはエラストマ、３ｃは蓄電池（本体）、４は蓄電池（予備）、７は保持リブ、７ａは平行な二平面、７ｂは凸部、８ガイドリブ、１０は係止部、１１は電池キャップ、１１ａは平面部、１５は両頭ビット、１５ａは六角軸、２０ハンドル、２１はラッチ、２２はピン
【図１】
2004174655.tif 000003
【図２】
2004174655.tif 000004
【図３】
2004174655.tif 000005
【図４】
2004174655.tif 000006
【図５】
2004174655.tif 000007
【図６】
2004174655.tif 000008
【図７】
2004174655.tif 000009